【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
印刷データを生成する情報処理装置と、前記印刷データを受信して印刷処理を実行するプリンタとがネットワークを介して接続されて構成される印刷処理システムであって、
前記情報処理装置は、
前記ネットワークを介して、前記プリンタで設定されている、現行の用紙タイプを示す用紙タイプ情報を含むＩＤ付きの機器情報を受信する第１の受信手段と、
前記プリンタで印刷する印刷データに対する用紙タイプ情報を含む印刷設定として、前記受信手段で受信したＩＤ付きの機器情報のＩＤを付加した印刷設定を生成する生成手段と、
前記ネットワークを介して、前記生成手段で生成した印刷設定を含む印刷データを生成して、前記プリンタに送信する第１の送信手段とを備え、
前記プリンタは、
前記用紙タイプ情報を含むＩＤ付きの機器情報を設定する設定手段と、
前記設定手段で設定した現行のＩＤ付きの機器情報と、それ以前に設定されていた従前のＩＤ付きの機器情報を記憶する記憶手段と、
前記ネットワークを介して、前記情報処理装置からの要求に応じて、現行のＩＤ付きの機器情報を送信する第２の送信手段と、
前記ネットワークを介して、前記情報処理装置から印刷データを受信する第２の受信手段と、
前記第２の受信手段で受信した印刷データの印刷設定に含まれる前記機器情報のＩＤと一致するＩＤ付きの機器情報が前記記憶手段に存在するか否かを判定する判定手段と、
前記判定手段の判定の結果、印刷設定に含まれる前記機器情報のＩＤと一致するＩＤ付きの機器情報が前記記憶手段に存在する場合、前記ＩＤ付きの機器情報と前記印刷設定に従って、前記第２の受信手段で受信した印刷データの印刷処理を実行する実行手段と、
前記判定手段の判定の結果、印刷設定に含まれる前記機器情報のＩＤと一致するＩＤ付きの機器情報が前記記憶手段に存在しない場合、前記印刷設定で設定されている用紙タイプ情報を表示する表示手段と
を備えることを特徴とする印刷処理システム。
【請求項２】
ネットワークを介して接続されているプリンタで印刷する印刷データを生成する情報処理装置であって、
前記ネットワークを介して、前記プリンタで設定されている、現行の用紙タイプを示す用紙タイプ情報を含むＩＤ付きの機器情報を受信する受信手段と、
前記プリンタで印刷する印刷データに対する用紙タイプ情報を含む印刷設定として、前記受信手段で受信したＩＤ付きの機器情報のＩＤを付加した印刷設定を生成する生成手段と、
前記生成手段で生成した印刷設定を含む印刷データを生成して、前記プリンタに送信する送信手段と
を備えることを特徴とする情報処理装置。
【請求項３】
アプリケーションによって生成されたアプリケーションデータに対して既に設定されている、前記受信手段で受信したＩＤ付きの機器情報のＩＤが付加された印刷設定を前記アプリケーションから取得する取得手段と、
前記アプリケーションデータに対する印刷データとして、前記取得手段で取得した印刷設定を含む印刷データを生成する印刷データ生成手段と
を更に備えることを特徴とする請求項２に記載の情報処理装置。
【請求項４】
前記受信手段で受信した機器情報に含まれる用紙タイプ情報を表示する表示手段を更に備える
ことを特徴とする請求項２に記載の情報処理装置。
【請求項５】
ネットワークを介して接続されている情報処理装置から印刷データを受信して印刷処理を実行するプリンタであって、
印刷処理に使用する現行の用紙タイプを示す用紙タイプ情報を含むＩＤ付きの機器情報を設定する設定手段と、
前記設定手段で設定した現行のＩＤ付きの機器情報と、それ以前に設定されていた従前のＩＤ付きの機器情報を記憶する記憶手段と、
前記ネットワークを介して、前記情報処理装置からの要求に応じて、現行のＩＤ付きの機器情報を送信する送信手段と、
前記ネットワークを介して、前記情報処理装置から印刷データを受信する受信手段と、
前記第２の受信手段で受信した印刷データの印刷設定に含まれる前記機器情報のＩＤと一致するＩＤ付きの機器情報が前記記憶手段に存在するか否かを判定する判定手段と、
前記判定手段の判定の結果、印刷設定に含まれる前記機器情報のＩＤと一致するＩＤ付きの機器情報が前記記憶手段に存在する場合、前記ＩＤ付きの機器情報と前記印刷設定に従って、前記受信手段で受信した印刷データの印刷処理を実行する実行手段と、
前記判定手段の判定の結果、印刷設定に含まれる前記機器情報のＩＤと一致するＩＤ付きの機器情報が前記記憶手段に存在しない場合、前記印刷設定で設定されている用紙タイプ情報を表示する表示手段と
を備えることを特徴とするプリンタ。
【請求項６】
前記判定手段は、前記第２の受信手段で受信した印刷データの印刷設定に含まれる前記機器情報のＩＤが、前記現行のＩＤ付きの機器情報のＩＤと一致するか否かを判定し、一致しない場合は、それ以前に設定されていた従前のＩＤ付きの機器情報のＩＤから、一致するものを検索する
ことを特徴とする請求項５に記載のプリンタ。
【請求項７】
ネットワークを介して接続されているプリンタで印刷する印刷データを生成する情報処理装置の制御方法であって、
受信手段が、前記ネットワークを介して、前記プリンタで設定されている、現行の用紙タイプを示す用紙タイプ情報を含むＩＤ付きの機器情報を受信する受信工程と、
生成手段が、前記プリンタで印刷する印刷データに対する用紙タイプ情報を含む印刷設定として、前記受信工程で受信したＩＤ付きの機器情報のＩＤを付加した印刷設定を生成する生成工程と、
送信手段が、前記生成工程で生成した印刷設定を含む印刷データを生成して、前記プリンタに送信する送信工程と
を備えることを特徴とする情報処理装置の制御方法。
【請求項８】
ネットワークを介して接続されている情報処理装置から印刷データを受信して印刷処理を実行するプリンタの制御方法であって、
設定手段が、印刷処理に使用する現行の用紙タイプを示す用紙タイプ情報を含むＩＤ付きの機器情報を設定する設定工程と、
記憶手段が、前記設定工程で設定した現行のＩＤ付きの機器情報と、それ以前に設定されていた従前のＩＤ付きの機器情報を記憶媒体に記憶する記憶工程と、
送信手段が、前記ネットワークを介して、前記情報処理装置からの要求に応じて、現行のＩＤ付きの機器情報を送信する送信工程と、
受信手段が、前記ネットワークを介して、前記情報処理装置から印刷データを受信する受信工程と、
判定手段が、前記受信工程で受信した印刷データの印刷設定に含まれる前記機器情報のＩＤと一致するＩＤ付きの機器情報が前記記憶媒体に存在するか否かを判定する判定工程と、
実行手段が、前記判定工程の判定の結果、印刷設定に含まれる前記機器情報のＩＤと一致するＩＤ付きの機器情報が前記記憶媒体に存在する場合、前記ＩＤ付きの機器情報と前記印刷設定に従って、前記受信工程で受信した印刷データの印刷処理を実行する実行工程と、
表示手段が、前記判定工程の判定の結果、印刷設定に含まれる前記機器情報のＩＤと一致するＩＤ付きの機器情報が前記記憶媒体に存在しない場合、前記印刷設定で設定されている用紙タイプ情報を表示する表示工程と
を備えることを特徴とするプリンタの制御方法。
【請求項９】
ネットワークを介して接続されているプリンタで印刷する印刷データを生成する情報処理装置の制御をコンピュータに実行させるためのプログラムであって、
前記ネットワークを介して、前記プリンタで設定されている、現行の用紙タイプを示す用紙タイプ情報を含むＩＤ付きの機器情報を受信する受信工程と、
前記プリンタで印刷する印刷データに対する用紙タイプ情報を含む印刷設定として、前記受信工程で受信したＩＤ付きの機器情報のＩＤを付加した印刷設定を生成する生成工程と、
前記生成工程で生成した印刷設定を含む印刷データを生成して、前記プリンタに送信する送信工程と
をコンピュータに実行させることを特徴とするプログラム。
【請求項１０】
ネットワークを介して接続されている情報処理装置から印刷データを受信して印刷処理を実行するプリンタの制御をコンピュータに実行させるためのプログラムであって、
印刷処理に使用する現行の用紙タイプを示す用紙タイプ情報を含むＩＤ付きの機器情報を設定する設定工程と、
前記設定工程で設定した現行のＩＤ付きの機器情報と、それ以前に設定されていた従前のＩＤ付きの機器情報を記憶媒体に記憶する記憶工程と、
前記ネットワークを介して、前記情報処理装置からの要求に応じて、現行のＩＤ付きの機器情報を送信する送信工程と、
前記ネットワークを介して、前記情報処理装置から印刷データを受信する受信工程と、
前記受信工程で受信した印刷データの印刷設定に含まれる前記機器情報のＩＤと一致するＩＤ付きの機器情報が前記記憶媒体に存在するか否かを判定する判定工程と、
前記判定工程の判定の結果、印刷設定に含まれる前記機器情報のＩＤと一致するＩＤ付きの機器情報が前記記憶媒体に存在する場合、前記ＩＤ付きの機器情報と前記印刷設定に従って、前記受信工程で受信した印刷データの印刷処理を実行する実行工程と、
前記判定工程の判定の結果、印刷設定に含まれる前記機器情報のＩＤと一致するＩＤ付きの機器情報が前記記憶媒体に存在しない場合、前記印刷設定で設定されている用紙タイプ情報を表示する表示工程と
をコンピュータに実行させることを特徴とするプログラム。
【手続補正２】
【補正対象書類名】明細書
【補正対象項目名】発明の名称
【補正方法】変更
【補正の内容】
【発明の名称】印刷処理システム、情報処理装置及びプリンタ、それらの制御方法